Podtech/llm-jp-corpus-v4-ja_patent huggingface dataset:
(57)【要約】      （修正有）【課題】本考案は、苗の取り出しが容易である四方起伏状の育苗箱で成育した大きめの苗を用いて、イノシシ電気柵の下や、広範囲な空地等の雑草対策を解決しようとするものである。【解決手段】ヒメイワダレ草を成育するための有底板付であって、四方が起伏自在、前後に妻壁板１、３、左右両側に側壁板２，４を設け、更に底板に水抜孔５を開設した。【選択図】図１
0003109284.tif 000002
【実用新案登録請求の範囲】
【請求項１】
ヒメイワダレ草を成育するための有底板付であって、四方が起伏自在、前後に妻壁板、左右両側に側壁板を設け、更に底板に水抜孔を開設したことを特徴とするヒメイワダレ草の育苗箱。
【考案の詳細な説明】
【技術分野】
【０００１】
本考案は、ヒメイワダレ草に適した育苗箱に関し、更に詳しくは、大きめの苗を植栽することによって、その下からの雑草の侵入を抑制すると共に、苗の取り出しに於いても、苗の四方壁板を折ることによって容易ならしめ、さらに空箱の収納にも重ねることができ、場所を取らないで済むように改良したものである。
【背景技術】
【０００２】
従来のポット苗では小さいため、ツル状に伸びる間からも雑草の侵入が強いため、抜き取り作業に苦労し、イノシシ電気柵下の雑草、空地の雑草、法面などの広範囲な土地では数多く植えなければならなかった。
【考案の開示】
【考案が解決しようとする課題】
【０００３】
山間部に多く見られるイノシシ撃退の電気柵下の雑草にも、農家の人達が多く苦しんでいる。このため地面より僅か１５cmの電気柵の線に、雑草の伸びも早い。そして雑草は７〜１０日間で電線に触れ、ショートを起こしてしまうため、頻繁に除草剤を散布したり、草刈りをしなければならず、また大きな苗の場合、取り出しの際に折れたり、損傷したりする可能性がある。本考案は、前述の欠点を解決しようとするものである。
【課題を解決するための手段】
【０００４】
従来のポット苗式では被覆するまでの雑草の抜き取り作業に追われ、投げ出してしまう点が考えられたが、大きめの育苗箱で育苗したものを植栽することにより、植えたその下からの雑草の侵入は殆んど見られず、雑草の抜き取り作業を半減し、より被覆率を高め、特にイノシシ電気柵下の雑草対策には最適である。広範囲な空地等でも、１平方メートルに１個の植えつけで済み簡単に植えられる。
完全被覆することにより、除草剤の散布や、危険で重労働な草刈り作業から解放され、さらに景観も良く、実践をした結果、高被覆率を達成し、雑草の抜き取り作業も半減し、大変喜ばれている。また、行政機関、造園業界から新しい芝生に変わるものとして注目を引き、問い合わせが多くある。
【考案の効果】
【０００５】
本考案を用いることにより、前述の通り、従来のポット苗よりも高率で被覆するため、管理上の問題で、雑草の抜き取り作業の軽減と、植え付け作業が簡単で早く済み、苗の取り出しも四方が起伏する状態であるため容易に作業が進む。しかも大きい苗のため、高被覆率はもちろん、枯死することはない。また従来のポット苗と比較した場合、１箱の苗に対し、ポット苗では１２個分位の価値があり、安価で提供することができる。
【考案を実施するための最良の形態】
【０００６】
事前に横巾１６cm、長さ４８cm、深さ１０cm位の穴を掘っておき、苗箱の片面を開き、その穴にスベリ出すようにして、ハメ込む要領で植え付ける。手の平サイズの苗箱も同様である。
尚、既存の雑草については、従来の方式で、雑草を除草剤にて根まで完全に枯らすことがポイントである。
【実施例】
【０００７】
以下、添付図面によって実施例を説明する。１と３は耐久性のプラスチック等適宜素材にて一体化形成された苗箱の妻壁板、２と４は苗箱の側壁板である。５は散水後の余剰水を抜く水抜孔、６は前記妻壁板１・３と側壁板２・４を立てて箱形に固定するガムテープである。簡単に開閉できるようにガムテープを使用し、１〜２ヶ月の育苗には充分である。
【０００８】
苗箱より苗を取り出す際は、１のガムテープを取り、スベリ出すようにして取り出す。尚かつ、取り出しにくい時は、１〜４までの四角のガムテープを切り、１〜４を開くことにより、確実に取り出すことが可能である。
【図面の簡単な説明】
【０００９】
【図１】本考案の組み立て前の実施例を示す図面である。
【図２】本苗箱を組み立てた図面である。
【符号の説明】
【００１０】
１・３    妻壁板
２・４    側壁板
５        水抜孔
６        ガムテープ
【図１】
0003109284.tif 000003
【図２】
0003109284.tif 000004
(57)【要約】【課題】  できるだけ細い糸を用いて組織し、通気性を良好にすると共に、組織を強固にして、目合いの拡開を阻止して防虫性を確保することを目的とする。【解決手段】  経緯糸を同一の太さの基糸２で組織されると共に、緯糸の基糸２間に、基糸２より細い補助糸３が複数本緯糸として組織され、かつ経糸と補助糸３の交叉部が融着４されていることを特徴とするネット。【選択図】  図１
0003109263.tif 000002
【実用新案登録請求の範囲】
【請求項１】
経緯糸を同一の太さの基糸で組織されると共に、緯糸の基糸間に、基糸より細い補助糸が複数本緯糸として組織され、かつ経糸と補助糸の交叉部が融着されていることを特徴とするネット。
【請求項２】
基糸の太さが５０デニールから３０デニール、補助糸の太さが２５デニールから１５  デニールである請求項１記載のネット。
【請求項３】
基糸及び補助糸が合成繊維である請求項１又は２記載のネット
【請求項４】
補助糸は芯鞘構造であって、鞘部が芯部及び基糸より低融点である請求項３記載のネット。
【考案の詳細な説明】
【技術分野】
【０００１】
本考案はネットに関するものであり、詳しくは、主として農業用に用いられ、作物を害虫から防護するネットに関するものである。
【背景技術】
【０００２】
害虫等から作物を護る防虫ネットは、ネット自体で作物を被覆する構成としたり、温室の一部に通気目的を兼ねて張設されたりしている。
【０００３】
防虫目的であるから、メッシュ状の網目や目合いの空隙が小さければ小さいほど、微少な虫の侵入を阻止できる作用効果を得られるけれど、空隙が減少すると、その分通気性が悪くなり、ネット内の温度が上昇したりして育成上問題となるのである。
【０００４】
そこで、従来は、例えばネットを構成する経緯糸をできるだけ細い糸を使用して目合いを小さくしたり、太い糸と細い糸を混在して使用したものが提案されている。
【考案の開示】
【考案が解決しようとする課題】
【０００５】
経緯糸に細い糸を選択すれば、通気性は良好となるけれど組織が弱くなり、虫が糸を拡開して目合いを広くして侵入する事態も発生する。
又、太細の糸を混在させて組織する場合は、太い糸によって組織の強度は確保できるけれど、細い糸については拡開を回避できず、糸の選択巾に限度があって通気性への障害となっているのである。
【０００６】
そこで、本考案はできるだけ細い糸を用いて組織し、通気性を良好にすると共に、組織を強固にして目合いの拡開を阻止して防虫性を確保することを目的とするものである。
【課題を解決するための手段】
【０００７】
本考案は、経緯糸を同一の太さの基糸で組織されると共に、緯糸の基糸間に、基糸より細い補助糸が複数本緯糸として組織され、かつ経糸と補助糸の交叉部が融着されていることを特徴とするものである。
【０００８】
そして、基糸の太さが５０デニールから３０デニール、補助糸の太さが２５デニールから１５デニールであり、更に基糸及び補助糸が合成繊維とし、補助糸は芯鞘構造であって、鞘部が芯部及び基糸より低融点であるのが好ましい。
【０００９】
本考案は、太さの異なる基糸と補助糸を使用して組織してあり、太い基糸の経緯糸は組織を安定性する作用を奏し、補助糸を緯糸に用いた部分では目合いが小さくても通気性を確保でき、かつ経糸と融着しているため組織が安定することと、目合いが拡開することを防止する作用を有するのである。
【考案の効果】
【００１０】
上記のように、本考案は太い基糸で経緯糸を組織した構成としたため、組織に安定性を有し、細い補助糸で組織した部分は通気性を良好とし、かつ経糸と融着しているため糸を細くしても組織が安定すると同時に拡開することがない。
したがって、基糸の選択をできる限り細い糸として組織の安定性のみを考慮すればよく、又補助糸は使用に際して切断しないことを条件に、細い糸を選択すればよく、基糸及び補助糸共に糸を細くできる結果、目合いが小さくても通気性に優れたネットを得られる効果を有するのである。
【００１１】
又、補助糸を芯鞘構造とし、鞘部を芯部及び基糸より低融点の合成繊維とすることで、織成後、鞘部の融点温度で熱セット加工すれば簡単に補助糸と経糸との融着を為し得る効果を有する。
【考案を実施するための最良の形態】
【００１２】
本考案の一実施の形態を図面に基づいて説明する。
図１は正面図であり、二本の太細の差のある糸で織製して形成したネット１である。
太い糸は基糸２として経糸と一部の緯糸に用い、細い糸は補助糸３として緯糸の一部に用いている。
【００１３】
基糸２はポリエステル糸の太さ５０デニールで、全ての経糸に使用し、間隔は０．１７ｍｍであり、緯糸には定間隔で組織されている。
一方、補助糸３はポリエステル糸の太さ２５デニールで、緯糸の各基糸２、２の間に三本を０．３５ｍｍの等間隔で組織し、経糸との交叉部を互いに融着４してある。
【００１４】
又、補助糸３は芯鞘構造であり、芯部３Ａと鞘部３Ｂとの融点が異なり、鞘部３Ｂは芯部３Ａより融点が低く、約１６０℃で融解し始め、他方基糸２の融点も鞘部３Ｂより高い２００℃以上の融点と成っている。したがって、補助糸３と経糸の基糸２との融着は、１９０℃で熱セットすることで容易に行える。
【００１５】
次表１は、上記ネットの通気度を比較した表である。試料に対して垂直に風（１ｍ／ｓ）を当てた時の試料を通過した風の速度を計ったものである。
精密迅速熱物性測定装置（ＫＥＳーＦ７、カトーテック（株）製）と風速計（日本カノマックス（株）製）を使用した。
【００１６】
【表１】
0003109263.tif 000003
【００１７】
表１より、本考案は比較試料と遜色のない通気性を発揮することが判明し、その目合い間隔を比較すると、本考案のネットは極めて小さく、防虫効果が他に比べて優れていることが明らかとなった。
【００１８】
基糸２は５０デニールから３０デニール、補助糸３は２５デニールから１５デニールの範囲で選択可能であり、糸が細くなれば目合いを小さくしても必要な通気性が得られるものである。しかし、細くなり過ぎると目的に合った組織の強度が得られない恐れがある。
【図面の簡単な説明】
【００１９】
【図１】本考案の一実施例を示す正面図である。
【図２】補助糸の一実施例を示す断面図である。
【符号の説明】
【００２０】
１  ネット
２  基糸
３  補助糸
３Ａ  芯部
３Ｂ  鞘部
４  融着
【図１】
0003109263.tif 000004
【図２】
0003109263.tif 000005
(57)【要約】【課題】  キーボードの形状により変形自在のパソコン用パームレストを提供する。【解決手段】  軟質素材からなると共に、所定の高さを有する棒状である本体を有するパソコン用パームレストであって、  該本体の内部に長手方向に変形自在の金属棒が設けられることを特徴とするパソコン用パームレスト。【選択図】  図１
0003109583.tif 000002
【実用新案登録請求の範囲】
【請求項１】
軟質素材からなると共に、所定の高さを有する棒状である本体を有するパソコン用パームレストであって、
該本体の内部に長手方向に変形自在の金属棒が設けられることを特徴とするパソコン用パームレスト。
【請求項２】
前記金属棒は鉄線であることを特徴とする請求項１に記載のパソコン用パームレスト。
【請求項３】
前記金属棒は銅線であることを特徴とする請求項1に記載のパソコン用パームレスト。
【考案の詳細な説明】
【技術分野】
【０００１】
本考案は、特にキーボードの形状により変形自在のパソコン用パームレストに関するものである。
【背景技術】
【０００２】
一般に、パソコンで入力作業を行う際は、キーボードにより行うが、長時間に入力作業をし続けると、使用者の手首に腱鞘炎などが発生してしまう恐れがあるので、通常は、手首の下部にキーボードの長さを有するパームレストを使用することにより、入力作業時に手首を支持して、腱鞘炎などの発生を防いでいる。
【０００３】
又、従来のパームレストは、所定の高さを有する軟質素材（例えば、スポンジや樹脂など）からなり、該所定の高さを有するパームレストは手部の圧力で変形することにより、手首を支えている。
【考案の開示】
【考案が解決しようとする課題】
【０００４】
しかしながら、従来のパームレストは、キーボートの一側にほとんど接触するように用いられるが、該キーボードの側辺が直線でない場合、該パームレストとキーボードとが一定の距離を維持することができないため、使用者はタイピングを行う際、使用者の手部をパームレストの上に置きながらタイピングすることができない。
【０００５】
そこで、案出されたのが本考案であって、キーボードの形状により変形自在のパソコン用パームレストを提供することを目的としている。
【課題を解決するための手段】
【０００６】
本願の請求項１の考案は、軟質素材からなると共に、所定の高さを有する棒状である本体を有するパソコン用パームレストであって、
該本体の内部に長手方向に変形自在の金属棒が設けられることを特徴とするパソコン用パームレスト及び、
本願の請求項２の考案は、前記金属棒は鉄線であることを特徴とする請求項１に記載のパソコン用パームレスト及び、
本願の請求項３の考案は、前記金属棒は銅線であることを特徴とする請求項１に記載のパソコン用パームレスト、を提供する。
【考案の効果】
【０００７】
本考案は上記の課題を解決するものであり、内部に自由に変形自在の金属棒が設けられる本体を有するので、本体がキーボードの形状に対応して変形することができ、従って、使用者は手部を本体の上に置きながらタイピングすることができる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るパソコン用パームレストを示す正面図であり、図２は本考案に係るパソコン用パームレストを示す断面図であり、図３は本考案に係るパソコン用パームレストの使用状態を示す正面図であり、図４は本考案に係るパソコン用パームレストの他の使用状態を示す正面図であり、図５は本考案に係るパソコン用パームレストの使用状態を示す断面図である。
【００１０】
図１及び図２に示すように、本考案に係るパソコン用のパームレストは、例えばスポンジや樹脂などの軟質素材からなる本体（１０）を有し、該本体（１０）は所定の高さを有する棒状であり、その内部に長手方向に変形自在の金属棒（１１）が設けられ、該金属棒（１１）は例えば、鉄線、銅線又はアルミニウム線である。
【００１１】
図３及び図５に示すように、本考案に係るパソコン用のパームレストを使用する場合、従来品と等しいように、該本体（１０）をキーボード（２０）の一側とほとんど接触するように放置することにより、使用者の手部を本体（１０）の上に放置することができる。
【００１２】
又、図4及び図5に示すように、キーボード（１０）の周辺は直線ではない場合、本考案の本体（１０）の内部における金属棒（１１）は自由に変形可能であるので、該キーボード（２０）の周辺に対して変形することにより、本体（１０）をキーボード（２０）の一側とほとんど接触するように放置して、使用者の手部を本体（１０）の上に放置することができる。
【００１３】
本考案に係るパソコン用パームレストは、内部に自由に変形自在の金属棒（１１）が設けられる本体（１０）を有するので、本体（１０）がキーボード（２０）の形状に対応して変形することができ、従って、使用者は手部を本体（１０）の上に置きながらタイピングすることができる。
【００１４】
本考案は上記の構成を有し、内部に自由に変形自在の金属棒が設けられる本体を有するので、本体がキーボードの形状に対応して変形することができ、従って、使用者は手部を本体の上に置きながらタイピングすることができる。
【図面の簡単な説明】
【００１５】
【図１】本考案に係るパソコン用パームレストを示す正面図である。
【図２】本考案に係るパソコン用パームレストを示す断面図である。
【図３】本考案に係るパソコン用パームレストの使用状態を示す正面図である。
【図４】本考案に係るパソコン用パームレストの他の使用状態を示す正面図である。
【図５】本考案に係るパソコン用パームレストの使用状態を示す断面図である。
【符号の説明】
【００１６】
１０        本体
１１        金属棒
２０        キーボード
【図１】
0003109583.tif 000003
【図２】
0003109583.tif 000004
【図３】
0003109583.tif 000005
【図４】
0003109583.tif 000006
【図５】
0003109583.tif 000007
(57)【要約】      （修正有）【課題】汎用性があり、多くの一般の利用者にとっても、日本的でファッション性に富む柄入り地下足袋を提供する。【解決手段】底の金型に合成ゴム底を流して合成ゴム底を作成したあと、その合成ゴム底に接着剤で柄の入った生地を接着し、乾燥、裁断、圧着を経て仕上げる。該柄入りの生地は、スクリーン印刷、グラビア印刷、オフセット印刷などを用いて印刷面とする。暗闇や夜間での着用時にも便利で且つファッション性にも富むため、その印刷インキは蓄光顔料、蛍光顔料を含有することも可能である。【選択図】図２
0003109522.tif 000002
【実用新案登録請求の範囲】
【請求項１】
地下足袋の内側及び／又は外側にパタ−ン化した柄を設けることを特徴とする柄入り地下足袋。
【請求項２】
地下足袋の内側及び／又は外側にパタ−ン化した柄が印刷面であることを特徴とする請求項１記載の柄入り地下足袋。
【請求項３】
地下足袋の内側及び／又は外側にパタ−ン化した柄の印刷面の印刷が波型模様であることを特徴とする請求項２記載の柄入り地下足袋。
【請求項４】
地下足袋の内側及び／又は外側にパタ−ン化した柄の印刷面の印刷が迷彩模様であることを特徴とする請求項２記載の柄入り地下足袋。
【請求項５】
地下足袋の内側及び／又は外側にパタ−ン化した柄の印刷面の印刷が市松模様であることを特徴とする請求項２記載の柄入り地下足袋。
【請求項６】
地下足袋の内側及び／又は外側にパタ−ン化した柄の印刷面の印刷がアニマル模様であることを特徴とする請求項２記載の柄入り地下足袋。
【請求項７】
地下足袋の内側及び／又は外側にパタ−ン化した柄の印刷面の印刷が文字柄であることを特徴とする請求項２記載の柄入り地下足袋。
【請求項８】
地下足袋の内側及び／又は外側にパタ−ン化した柄の印刷面の印刷が浮世絵柄であることを特徴とする請求項２記載の柄入り地下足袋。
【請求項９】
地下足袋の内側及び／又は外側にパタ−ン化した柄の印刷面の印刷が着物柄であることを特徴とする請求項２記載の柄入り地下足袋。
【考案の詳細な説明】
【技術分野】
【０００１】
汎用性があり、多くの一般の利用者にとっても、日本的でファッション性に富む柄入り地下足袋を考案したものである。
【考案の開示】
【考案が解決しようとする課題】
【０００２】
これまでの地下足袋は単なる労働例えば農耕や土木関係の労働者の間で着用されて重宝がられていた。しかしその使用範囲はきわめて限定されたものであり、ファッション性にはきわめて劣るものであった。
【課題を解決するための手段】
【０００３】
そこで、本考案者らはこの課題を解決するために、鋭意研究開発の結果、地下足袋の内側及び／又は外側にパタ−ン化した柄を設けることによって初めて完成できるものである。
【考案の効果】
【０００４】
これにより、汎用性があり、多くの一般の利用者にとっても、日本的でファッション性に富む柄入り地下足袋を考案したものである。
【考案を実施するための最良の形態】
【０００５】
従来技術のように、底の金型に合成ゴム底を流して合成ゴム底を作成したあと、その合成ゴム底に接着剤で柄の入った生地を接着し、乾燥、裁断、圧着を経て仕上げる。該柄入りの生地は、スクリ−ン印刷、グラビア印刷、オフセット印刷などを用いて印刷面とする。暗闇や夜間での着用時にも便利で且つファッション性にも富むため、その印刷インキは蓄光顔料、蛍光顔料を含有することも可能である。
【実施例１】
【０００６】
図２から図８は本考案の地下足袋を示す図であって、それぞれ様々な方向から見た図である。本実施例では地下足袋の外側にパタ−ン化した柄の印刷面の印刷が波型模様であることを特徴としている。ただし、図２から図８は本考案のほんの一例に過ぎず、本考案の範囲を制限するものではない。
【産業上の利用可能性】
【０００７】
本考案に記載の地下足袋は、汎用性があり、多くの一般の利用者にとっても、日本的でファッション性に富むので、日常生活において靴として着用することが可能である。また、祭事用、イベント用のファッション性の高い履物として男性のみならず女性、子供向けに活用可能である。さらに、印刷インキは蓄光顔料、蛍光顔料を入れることで、夜祭や長時間の夜間のイベントにも容易に対応できる。
【図面の簡単な説明】
【０００８】
【図１】従来技術を示した説明図である。
【図２】本考案における地下足袋を正面から見た図である。
【図３】本考案における地下足袋を背面から見た図である。
【図４】本考案における地下足袋を左側面から見た図である。
【図５】本考案における地下足袋を右側面から見た図である。
【図６】本考案における地下足袋を平面から見た図である。
【図７】本考案における地下足袋を底面から見た図である。
【図８】本考案における地下足袋を左斜め後方から見た図である。
【符号の説明】
【０００９】
１胴表布
２胴表布
３ハゼ
４回しテープゴム
５底ゴム
６掛糸
【図１】
0003109522.tif 000003
【図２】
0003109522.tif 000004
【図３】
0003109522.tif 000005
【図４】
0003109522.tif 000006
【図５】
0003109522.tif 000007
【図６】
0003109522.tif 000008
【図７】
0003109522.tif 000009
【図８】
0003109522.tif 000010
(57)【要約】【課題】  光線がなくても空気中の有害物質を分解、消去できる酸化触媒塗布処理の電気製品を提供する。【解決手段】  電気製品１の表面１１に酸化触媒層２が塗布されている。酸化触媒層２と空気中の熱、湿気及び酸素の接触によって化学反応が起こり、その反応物質が空気中の有害物質を分解、消去する。したがって、光線を必要とせずに防カビ、防臭及び殺菌作用を具えるという利点がある。【選択図】    図２
0003109527.tif 000002
【実用新案登録請求の範囲】
【請求項１】
電気製品の表面に酸化触媒層が塗布されていることを特徴とする酸化触媒塗布処理の電気製品。
【考案の詳細な説明】
【技術分野】
【０００１】
本考案は、酸化触媒塗布処理の電気製品に関するもので、空気清浄機、扇風機または電熱器等の電気製品の表面に酸化触媒層を塗布して、空気中の有害物質を分解、消去するものである。
【背景技術】
【０００２】
電気製品、特に、通風電気製品は、夏の暑い時期、室内の締め切った部屋で煩雑に使用される。しかし、締め切った空間内の病原菌やばい菌は、加速して培養される。室内の人が汗をかけば、これらの菌はより良い環境で培養されて、電気製品表面に付着し、菌がばら撒かれる原因となる。
【０００３】
これらの菌の増殖を防ぐため、光触媒（二酸化メタンを含む）を塗布し、微光で照射すると、病原菌やばい菌が死滅する効果がある（紫外線に依る光線が最もよい）。しかし、紫外線の光線照射が多すぎたり、長すぎたりすると、人に有害であり、光触媒は光線（紫外線）があってこそ、作用があるので、光線のない（夜間に明かりをつけない）場合には効果がない。
【考案の開示】
【考案が解決しようとする課題】
【０００４】
解決しようとする問題点は、光触媒などは光がないと効果が出ない点である。
【課題を解決するための手段】
【０００５】
本考案は、電気製品の表面に酸化触媒層を塗布し、酸化触媒層と空気中の熱、湿気及び酸素の接触によって化学反応が起こり、その反応物質が空気中の有害物質を分解、消去することを最も主要な特徴とする。
本考案の酸化触媒塗布処理の電気製品は、空気中の有害物質を分解、消去し、光線を必要とせずに防カビ、防臭及び殺菌作用を具えるという利点がある。
【考案を実施するための最良の形態】
【０００６】
図１に示すとおり、本考案の一実施例による酸化触媒塗布処理の電気製品によると、電気製品１の表面１１に酸化触媒層２が塗布されている。
塗布によって、図２に示すとおり、酸化触媒層２と空気中の熱、湿気及び酸素が化学反応を起こし、その反応物質が空気中の有害物質３を分解、消去し、光線照射を行わずに防カビ、防臭及び殺菌効果を具える。
【図面の簡単な説明】
【０００７】
【図１】本考案の一実施例による酸化触媒塗布処理の電気製品を示す斜視図である。
【図２】本考案の一実施例による酸化触媒塗布処理の電気製品の実施状態を示す断面図である。
【符号の説明】
【０００８】
１  電気製品、２  酸化触媒層、１１  表面
【図１】
0003109527.tif 000003
【図２】
0003109527.tif 000004
(57)【要約】  【課題】    刃面外側を頭髪や櫛に当接させて理髪する際に頭髪や櫛に刃面外側が平行に真っ直ぐ当り、以ってぶれることなく正確な理髪（カット）を行なうことができ、しかも静刃体の刃先端部分に指先を当てた状態で鋏を頭髪に当てながら整髪する際に、指先が痛い思いをしたり負傷する恐れがない理髪用鋏を提供すること。  【解決手段】  理髪時に直接頭髪と接触する動刃体１と該動刃体と対をなす静刃体２を要ネジ３で回動自在に枢着してなる理髪用鋏であって、前記動刃体１が、理髪時に直接頭髪と接触する刃面外側１ｄの断面形状が平らな平刃に形成され、前記静刃体２が、刃面外側２ｄの断面形状が略円弧状をした蛤刃に形成され、且つ前記動刃体１及び静刃体２における刃先端部分１ｅ,２ｅに切れ刃を形成しないようにした。  【選択図】    図１
0003109503.tif 000002
【実用新案登録請求の範囲】
【請求項１】
理髪時に直接頭髪と接触する動刃体と該動刃体と対をなす静刃体を要ネジで回動自在に枢着してなる理髪用鋏であって、前記動刃体が、理髪時に直接頭髪と接触する刃面外側の断面形状が平らな平刃に形成され、前記静刃体が、刃面外側の断面形状が略円弧状をした蛤刃に形成されていることを特徴とする理髪用鋏。
【請求項２】
前記動刃体及び静刃体における刃先端部分を、切れ刃がないように形成してなることを特徴とする請求項１記載の理髪用鋏。
【考案の詳細な説明】
【技術分野】
【０００１】
本考案は、理容、美容等において整髪或いは調髪に使用される理髪用鋏に関するものである。
【背景技術】
【０００２】
この種の理髪用鋏は、理髪時に直接頭髪と接触する動刃体とそれと対をなす静刃体を要ネジで回動自在に枢着してなり、当然のことながら動刃体と静刃体の刃面の断面形状は互いに対称形状に形成され、動刃体及び静刃体の刃面外側の断面形状が平らな平刃タイプと、刃面外側の断面形状が略円弧状をした蛤刃タイプとに大別される。
一方、近年特に理容における刈り込み用として平刃よりもパワーがあり（剛性が高い）しかも切れ味が良好な蛤刃タイプの理髪用鋏が多用されている。しかし、蛤刃タイプの理髪用鋏では、刃面外側を頭髪や櫛に当接させた際に刃面外側の断面形状が略円弧状になっている分ぶれ易く正確なカットがし難くいと言った不具合があった。
【０００３】
また、従来の、蛤刃タイプに限らず平刃タイプの理髪用鋏では、静刃体の刃先端部分に指先を当てた状態で鋏を頭髪に当てながら整髪する際に、指先が静刃体ないし動刃体の刃に接触して痛い思いをしたり負傷することがあった。
尚、本願出願人が知っている上記の先行技術は、文献公知考案に係るものではないため、本願明細書には先行技術文献情報を開示しない。
【考案の開示】
【考案が解決しようとする課題】
【０００４】
本考案はこのような従来の不具合に鑑みてなされたものであり、刃面外側を頭髪や櫛に当接させて理髪する際に頭髪や櫛に刃面外側が平行に真っ直ぐ当り、以ってぶれることなく正確な理髪（カット）を行なうことができ、しかも静刃体の刃先端部分に指先を当てた状態で鋏を頭髪に当てながら整髪する際に、指先が痛い思いをしたり負傷する恐れがない理髪用鋏を提供せんとするものである。
【課題を解決するための手段】
【０００５】
斯かる目的を達成する本考案の請求項１に記載の理髪用鋏は、理髪時に直接頭髪と接触する動刃体と該動刃体と対をなす静刃体を要ネジで回動自在に枢着してなる理髪用鋏であって、前記動刃体が、理髪時に直接頭髪と接触する刃面外側の断面形状が平らな平刃に形成され、前記静刃体が、刃面外側の断面形状が略円弧状をした蛤刃に形成されていることを特徴としたものである。
本考案の請求項２に記載の理髪用鋏は、前記動刃体及び静刃体における刃先端部分を、切れ刃がないように形成してなることを特徴としたものである。
【考案の効果】
【０００６】
本考案の請求項１に記載の理髪用鋏によれば、動刃体が、理髪時に直接頭髪と接触する刃面外側の断面形状が平らな平刃に形成され、静刃体が、刃面外側の断面形状が略円弧状をした蛤刃に形成されているので、平刃タイプが持つ利点と蛤刃タイプが持つ利点を併せ持つことが可能となる。すなわち、動刃体を平刃タイプに形成したので、刃面外側を頭髪や櫛に当接させて理髪する際に頭髪や櫛に刃面外側が平行に真っ直ぐ当り、よって刃先がぶれることなく正確な理髪（カット）を行なうことができ、且つ静刃体が蛤刃タイプに形成したのでパワーと切れ味を保持させることができるものである。
また、本考案の請求項２に記載の理髪用鋏によれば、動刃体及び静刃体における刃先端部分を、切れ刃がないように形成してなるので、静刃体の刃先端部分に指先を当てた状態で鋏を頭髪に当てながら整髪する際に、指先が痛い思いをしたり負傷する恐れがなくな。
【考案を実施するための最良の形態】
【０００７】
以下、本考案の具体的な好適実施例を、図面を参照しながら詳細に説明する。
図中の符号１は動刃体を示し、符号２は静刃体を示し、それぞれ切れ刃１ａ,２ａ及び柄１ｂ,２ｂ、指掛け１ｃ等が形成されている。
【０００８】
動刃体１は理髪時に直接頭髪と接触する側の刃体であり、静刃体２は動刃体１と対をなし理髪時において頭髪と直接接触しない側の刃体であり、両者は要ネジ３でもって回動自在に枢着されている。
【０００９】
ここで、動刃体１及び静刃体２は図２に示す如く、従来の理髪用鋏とは異なりその断面形状が非対称に形成される。すなわち、理髪時に直接頭髪と接触する側の動刃体１は、刃面外側１ｄの断面形状が平らな平刃に形成され、頭髪と直接接触しない静刃体２は、刃面外側２ｄの断面形状が略円弧状に曲面形状をした蛤刃に形成される。
【００１０】
また、動刃体１及び静刃体２における刃先端部分１ｅ,２ｅは、それぞれ切れ刃が無いように形成されている。すなわち、動刃体１及び静刃体２における刃先端から0.5ｍｍ〜２ｍｍ程度の範囲（Ｈ）には、当て接触しても指先が痛い思いをしたり負傷する恐れが無いように、切れ刃を形成しないようにするものである。
【図面の簡単な説明】
【００１１】
【図１】本考案実施の一例を示す正面図。
【図２】図１の（Ｘ）−（Ｘ）線に沿う断面図。
【符号の説明】
【００１２】
１：動刃体
２：静刃体
１ａ,２ａ：切れ刃
１ｂ,２ｂ：柄
２ｃ：指掛け
１ｄ,２ｄ：刃面外側
１ｅ,２ｅ：刃先端部分
３：要ネジ
【図１】
0003109503.tif 000003
【図２】
0003109503.tif 000004
(57)【要約】【課題】  ＰＣの電源の現在使用状況がＰＣ使用者に分かるようにする。【解決手段】  ＰＣの電源装置内に使用電圧，電流，仕事率などの電気エネルギー消費量計測装置を設けるとともに、その計測結果を出力する信号出力線をＰＣの筐体の表面及び又は背面側に設けた表示器に電気的に接続した。【選択図】      図１
0003109504.tif 000002
【実用新案登録請求の範囲】
【請求項１】
パーソナルコンピュータの筐体の中に収容される電源装置内に同パーソナルコンピュータの使用電圧，電流，仕事率などの電気エネルギーの使用状況を検出又は計測する手段を設け、その検出又は計測結果を出力する信号出力線を前記筐体の表面及び又は背面に設けた表示器に電気的に接続してなる電源使用状況表示装置を備えたパーソナルコンピュータ。
【請求項２】
表示器は液晶表示板であることを特徴とする請求項１に記載のパーソナルコンピュータ。
【考案の詳細な説明】
【技術分野】
【０００１】
本考案はパーソナルコンピュータ（以下、単にＰＣという）、とくにＰＣの使用中の電圧，電流，仕事率などをＰＣ使用者に見えるように表示する電源使用状況表示装置を備えたＰＣに関する。
【背景技術】
【０００２】
従来のＰＣは、使用する電源に関しては、電源のＯＮ・ＯＦＦ、すなわち電源が入っているか、切られているかを発光ダイオード等のランプで表示するのみであった。
【考案の開示】
【考案が解決しようとする課題】
【０００３】
しかしながら、単に電源のＯＮ又はＯＦＦのみを表示する従来技術では、電源の現在使用中の状況が正確に分からないため、使用者が気付かずに過大な負荷がかかる多数の処理を並行してＰＣに行わせ、そのためにＰＣが突然凍結したり、電源系統に故障を招く原因となった。
【０００４】
そこで、本考案は単に電源のＯＮ・ＯＦＦ状態が分かるに止まらず、使用者が電源の使用状況が正確に知ることができるようにすることを目的としている。
【課題を解決するための手段】
【０００５】
上記目的を達成するため、本考案はＰＣの電源装置内に使用電圧，電流，仕事率などの電気エネルギーの使用状況を検出又は計測する手段を設け、その検出又は計測結果を出力する信号出力線をＰＣの筐体の表面及び／又は背面側に設けた表示器に電気的に接続したことを特徴としている。
【０００６】
上記表示器は液晶表示板であることが望ましい。
【０００７】
上記構成により、ＰＣを使用すると、装置電気エネルギーの使用状況を検出又は計測する手段は、その時々の使用電圧，電流，仕事率などを計測し、その計測結果を信号出力線に出力するので、表示器には現在の使用電圧，電流，仕事率などが表示される。
【考案の効果】
【０００８】
請求項１の考案によれば、ＰＣ使用者は、ＰＣの現在使用中の電圧，電流，仕事率などを、ＰＣの表面及び／又は裏面の表示器で見ることができる。従って、ＰＣに対する過大な負荷の有無又は安全性を確認しながらＰＣを使用することができ、突然の凍結や故障を予防することができる。
【０００９】
請求項２の考案によれば、ＰＣの表面又は裏面に最小の取付面積又は空間をもって取付けることができ、ＰＣ筐体に対する改変程度が少なくて済む。
【考案を実施するための最良の形態】
【００１０】
次に、実施の形態について説明する。
図１は本考案の一実施例を示すＰＣの要部の透視斜視図、図２は同じく分解斜視図、図３は電源装置に対して一つの表示器を取付ける例を示す斜視図である。３０はＰＣの筐体であり、２０はその筐体の中に設置された電源装置であり、筐体内に収容されている電気エネルギーを用いて稼働する諸電子回路、電気回路、ＨＤＤ，ＦＤＤなどの電気的駆動部に電源を供給する通常の電源装置である。１は、その電源装置内に新たに設けられた電気エネルギー消費量計測装置であり、このＰＣで使用される電圧，電流，仕事率を検出又は計測する既知の検出器，検流器，電力計などで構成されている。そして、各構成要素の計測値は既知の出力回路を介して電気信号に変換されて、信号出力線１１及び／又は２１に出力されるようになっている。
【００１１】
信号出力線１１はＰＣの筐体３０の背面まで延出され、その先端は筐体の背面に取付けた第１表示器１０に接続されている。また、信号出力線２１は、ＰＣの筐体３０の表面まで延出され、その先端は筐体表面の好ましくは上部に設けた第２表示器４０に接続されている。
【００１２】
表示器１０，４０は、軽薄短小の利点を有する液晶表示板で構成されることが良い。これにより、既存のＰＣ筐体に大きな設置面積又は空間をとらずに容易に取付けることができる。
【００１３】
図１に例示するように、本考案によれば、ＰＣ筐体の見やすい上部に、ＰＣの現在使用中の電圧，電流，周波数などが表示される。
【００１４】
背面の表示器１０は、図３に例示するように、電源装置２０の背面に次のようにして取付けることもできる。すなわち、表示器１０に設けた孔１２にビス１４を挿通し、これを電源装置の筐体の背面に設けた孔２２にねじ込んで、表示器１０を固定する。
【００１５】
電気エネルギー消費量計測装置１がＰＣの電気エネルギーを消費する各機器又は回路ごとに使用電圧，電流等を計測するものを用いれば、それらの各機器又は回路ごとに電気エネルギー使用状況の表示をさせることができる。
【図面の簡単な説明】
【００１６】
【図１】本考案の一実施例を示すＰＣの要部の透視斜視図。
【図２】同じく分解斜視図。
【図３】電源装置に対して一つの表示器を取付ける例を示す斜視図である。
【符号の説明】
【００１７】
１          電気エネルギー消費量計測装置
１０        液晶表示器（第１表示器）
１１，２１  信号出力線
２０        電源装置
３０        筐体
４０        液晶表示板（第２表示器）
【図１】
0003109504.tif 000003
【図２】
0003109504.tif 000004
【図３】
0003109504.tif 000005
(57)【要約】      （修正有）【課題】明暗区を形成しない調光部品を提供して、より光源の光線を有効に配分する液晶面板のバックライトモジュール構造を提供する。【解決手段】液晶面板のバックライトモジュール構造は、各光源２０の光が出る箇所に光反射と透射機能を具えた反射片６０を設置し、光源両側に乱反射する光線を反射片を通すことによって、適する反射及び透射作用を具え、その光線が拡散板３０に向かって均等に放出することによって、光源間の明暗区現象を改善する。【選択図】図２
0003109514.tif 000002
【実用新案登録請求の範囲】
【請求項１】
内から外に向かって反射カバー、複数の光源、拡散板、数枚の光学膜片及び液
晶面板の順に設置する液晶面板のバックライトモジュール構造において、
各光源は直線形状もしくはＵ字型、もしくはその他連続湾曲形状のライト管が適する間隔で反射カバーと拡散板の間に設置され、そのうち、バックライトモジュールは、各光源の光が出る箇所に反射及び透射機能を具えた反射片を設置し、それによって光源両側に乱反射する光線を反射片と通して適する反射及び透射作用を形成し、光線を有効に配分して均一に放射することを特徴とする液晶面板のバックライトモジュール構造。
【請求項２】
前記反射片は、拡散板と各光源の間に設置することを特徴とする請求項１記載の液晶面板のバックライトモジュール構造。
【請求項３】
前記反射片は、拡散板と各光学膜片の間に設置することを特徴とする請求項１記載の液晶面板のバックライトモジュール構造。
【請求項４】
前記反射片は、各光学膜片の間に設置することを特徴とする請求項１記載の液晶面板のバックライトモジュール構造。
【考案の詳細な説明】
【技術分野】
【０００１】
本考案は、液晶面板のバックライトモジュール構造に関するもので、明暗区を形成しない調光部品を提供して、より光源の光線を有効に配分するものである。
【背景技術】
【０００２】
図1に示すのは、一般的な液晶モジュールのバックライトモジュール構造断面図で、バックライトモジュールの構造は、反射カバー10、複数の光源20、そして拡散板30、下拡散片、プリズム片、偏光片もしくは拡散片から構成される光学膜片40、及び液晶面板50が内から外に向かって順に配列する。そのうち、各光源20は直線状もしくはU字型もしくはその他連続湾曲形状のライト管で、適する間隔で反射カバー10と拡散板30の間に設置される。この液晶モジュールのディスプレイ効果は、即ち各光源20から放出された光線から構成される。そのうち、拡散板30と光学膜片40は、通過した光線を拡散するもので、各光源20の間に光線が届かないことによって発生する液晶モジュール上の明暗区現象を改善する働きがある。
【０００３】
この拡散板30は、通過した光線が等しく拡散し、液晶モジュールの明暗区現象を改善するもので、光源20と拡散板30の隙間を故意に長くし、各光源20が拡散板30に入る範囲を広げ、薄暗い区域を縮小している。しかしながら、この構造は効果に限りがあり、且つバックライトモジュールの厚みが増すので、液晶面板の軽薄化には逆行する。
【０００４】
更に、おる種のバックライトモジュールには拡散板の表面に消光処理を施している。それは、拡散板に二酸化シリコン(Si02)もしくは二酸化チタン(Ti02)を含むインクでプリントし、拡散板の表面に消光(散光)機能を具える。それによって、薄暗い区域を縮小する目的を達成する。しかしながら、この種の方法は、拡散板の製造コストが上昇するだけでなく、製造過程が複雑、且つ光線を拡散板表面に照射した時に、消光作用が発生し、公知の液晶モジュールに於ける明暗区発生の設置の解決手段として、積極的ではなく、改善の余地が残される。
【考案の開示】
【考案が解決しようとする課題】
【０００５】
解決しようとする問題点は、消光作用が受動的な方法であるため、主動的に明暗区を改善できない点である。
【課題を解決するための手段】
【０００６】
本考案は、各光源の光が出る箇所に光反射と透射機能を具えた反射片を設置し、光源両側に乱反射する光線を反射片に通すことによって、適する反射及び透射作用を具え、その光線が拡散板に向かって均等に放出することを最も主要な特徴とする。
【考案の効果】
【０００７】
本考案の液晶面板のバックライトモジュール構造は、明暗区を形成しない調光部品を提供することによって、より光源の光線を有効に配分するという利点がある。
【考案を実施するための最良の形態】
【０００８】
図2に示すとおり、内から外に向かって反射カバー10、複数の光源20、拡散板30、そして下拡散片、プリズム片、偏光片もしくは上拡散片から構成される光学膜片40及び液晶面板50の順に設置される。そのうち、各光源20は直線型もしくはU字型もしくはその他連続湾曲形状のライト管で、適する間隔で反射カバー10と拡散板30の間に設置される。この液晶モジュールのディスプレイ効果は、即ち各光源20から放出される光線によって構成される。
【０００９】
各光源20の光が出る箇所には光反射及び光透射機能を具えた反射片60が設置される。図2に示すとおり、この反射片60は、拡散板30と各光源20の間に設置され、光源20両側に乱反射する光線を反射片60に通して反射及び透射作用を生む。そして図3に示すとおり、光源20上方で透射する光線の反射率を高くして、透射率を低くする。反対に各光源20間の光線の反射率は低くなり、透射率は高くなるので、公知の各光源20の隙間部位に光線の当たらないところが発生するのを改善し、液晶モジュール上に形成する明暗区現象を改善する。
【００１０】
この反射片60は、拡散板30と各光学膜片40の間に設置してもよい。また図4に示すのは、各光学膜片40の間に設置するもので、図5に示すのも同じ効果を得る。
【図面の簡単な説明】
【００１１】
【図１】公知のバックライトモジュール構造断面図である。
【図２】本考案のバックライトモジュール構造断面図である。
【図３】本考案のバックライトモジュールの光線経路指示図である。
【図４】本考案のバックライトモジュールの別構造断面図である。
【図５】本考案のバックライトモジュールの更に別の構造断面図である。
【符号の説明】
【００１２】
10  反射カバー
20  光源
30  拡散板
40  光学膜片
50  液晶面板
60  反射片
【図１】
0003109514.tif 000003
【図２】
0003109514.tif 000004
【図３】
0003109514.tif 000005
【図４】
0003109514.tif 000006
【図５】
0003109514.tif 000007
(57)【要約】【課題】  近年、特に問題となっている、揮発性有機化合物による有害な化学物質を吸着除去し、室内の生活空間の空気を清浄にし、シックハウス症候群対策を施した建具であり、吸湿、除湿はもとより、イオン交換、光触媒、遠赤外線の効果により排泄物臭や加齢臭を取り除く。【解決手段】  ドア、ガラス戸、障子、襖等の建具において、建具本体１の一部に、縦桟、横桟、または格子状の装着枠２を設け、これら装着枠２内に、木炭、竹炭、もみがら炭等の炭類、酸化チタン、ゼオライト、トルマリン、セラミックから選ばれた１つ、または複数の素材を組み合わせたシック対策材３を嵌挿したシック除去対策を施した建具であり、又、建具本体１の下部、あるいは適宜な箇所に、縦桟、横桟、または格子状の装着枠２を設け、該装着枠２内に、濃縮固形化したシック対策材３、及び／又は、酸化チタンブロック４を嵌挿したものであり、体裁が極めてよいものである。【選択図】        図１
0003109566.tif 000002
【実用新案登録請求の範囲】
【請求項１】
ドア、ガラス戸、障子、襖等の建具において、建具本体（１）の一部に、縦桟、横桟、または格子状の装着枠（２）を設け、これら装着枠（２）内に、木炭、竹炭、もみがら炭等の炭類、酸化チタン、ゼオライト、トルマリン、セラミックから選ばれた１つ、または複数の素材を組み合わせたシック対策材（３）を嵌挿したことを特徴とするシック除去対策を施した建具。
【考案の詳細な説明】
【技術分野】
【０００１】
この考案は、シック除去対策を施した建具に関するものである。
【背景技術】
【０００２】
近年、シックハウス症候群に悩まされている患者に対して、家屋や家具等において、その対策が取られている。
【０００３】
このような原因としては、塗料、木材、合板等の使用材料のうち、ホルムアルデヒド等の有害化学物質であり、特に、揮発性有機化合物による健康障害や、かび、ダニ、細菌等によるアレルギー障害も問題となっており、さらに、生ごみ臭・アンモニア臭等の生活臭、ペット臭、アンモニア臭、ノネナール等の不飽和アルデヒドによる加齢臭・体臭等であり、家庭における健康生活が問題となっている。
【０００４】
そのため、対策の一つとして、シック対策商品の壁材や、木炭をそのまま室内に置いてその対策としていた。
【０００５】
【特許文献１】特開２００２−３５５１２５号公報
【考案の開示】
【考案が解決しようとする課題】
【０００６】
そこで、この考案は、近年、特に問題となっている、揮発性有機化合物による有害な化学物質を吸着除去し、室内の生活空間の空気を清浄にし、シックハウス症候群対策を施した建具を設け、吸湿、除湿はもとより、光触媒、イオン交換、遠赤外線の効果により排泄物臭や加齢臭を取り除くことを目的とする建具を提供することにある。
【課題を解決するための手段】
【０００７】
そして、この考案は、シック対策材を、居住空間に必ず存在する建具に装着することにより、シック対策材が邪魔おらず、また、シック対策材を装着した建具も、極めて体裁がよいシック除去対策を施した建具である。
【考案の効果】
【０００８】
この考案によると、建具の一部に、シック対策材を取り付けて設けており、シック対策の効果があり、別個にシック対策商品を部屋に置く必要がなく、場所を占めず、部屋と押入れとの襖には設けたものは、押し入れと部屋との両方に効果があって便利であり、建具を開閉するたびに、効果を奏するものである。
【０００９】
例えば、木炭、竹炭、もみがら炭等の炭類の場合は、ホルムアルデヒドの吸着、ノネナール（アルデヒドの一種）加齢臭の吸着、調湿効果によるカビの発生を抑えたり、湿気を取り除く効果があり、さらに、マイナスイオンの供給、並びに、遠赤外線の供給をもするものである。
【００１０】
そして、シック対策のゼオライトの場合は、高いイオン交換作用による、アンモニア臭（排泄物臭）の消臭効果、吸湿力が高く、カビ、菌等の発生を抑える。さらに、マイナスイオン効果もあり、遠赤外線の発生効果もあり、ホルムアルデヒドの吸着固定化能力もある。
【００１１】
さらに、シック対策材がトルマリンである場合、ゼオライトに吸着したカビ、菌、臭い等を分解する働きがあり、また、ゼオライトとトルマリンを混合することにより、ホルムアルデヒドや、アセトアルデヒドの吸着を長期間にわたって維持することができる。
【００１２】
また、酸化チタンは、ブロック状に形成され、大気中で金属チタン粉末を高速噴射することにより、バインダー不要で密着強度の高い二酸化チタン薄膜（光触媒機能を有するチタニア被膜）を形成したものであり、紫外線以外の電磁波エネルギー（Ｘ線・γ線・可視光線・赤外線・電波等）にも反応し、活性化して多くの有機物質を酸化分解するため、暗闇部でも優れた浄化効果を発揮するものである。
【００１３】
そして、これらのシック対策材を、建具の一部であって、縦、横、または格子状の装着枠を設け、これら装着枠内に、嵌挿して設けることにより、見た目にも体裁がよく、その効果も大きい等極めて有益なる効果を奏する。
【考案を実施するための最良の形態】
【００１４】
この考案の一実施例を図面により詳述すると、ドア、ガラス戸、障子、襖等の建具において、建具本体（１）の一部に、縦桟、横桟、または格子状の装着枠（２）を設け、これら装着枠（２）内に、木炭、竹炭、もみがら炭等の炭類、酸化チタン、ゼオライト、トルマリン、セラミックから選ばれた１つ、または複数の素材を組み合わせたシック対策材（３）を嵌挿したことを特徴とするシック除去対策を施した建具から構成されるものである。
【００１５】
そして、この考案に用いるシック対策材（３）の一例を述べると、建具本体（１）の下部、あるいは適宜な箇所に、縦桟、横桟、または格子状の装着枠（２）を設け、該装着枠（２）内に、濃縮固形化したシック対策材（３）及び／又は、酸化チタンブロック（４）を嵌挿してなるものであり、見た目に違和感がなく、体裁が極めてよいものである。
【産業上の利用可能性】
【００１６】
この発明は、これらのシック除去対策を施した建具の製造技術を確立し、かつ、製造・販売することにより、産業上の利用可能性を有する。
【図面の簡単な説明】
【００１７】
【図１】この考案の一実施例を示す正面図である。
【図２】この考案の他の実施例を示す正面図である。
【図３】この考案の一実施例を示す拡大断面図である。
【符号の説明】
【００１８】
１  建具本体
２  装着枠
３  シック対策材
４  酸化チタンブロック
【図１】
0003109566.tif 000003
【図２】
0003109566.tif 000004
【図３】
0003109566.tif 000005